(57)【要約】      （修正有）【課題】操作ギアと駆動ギアとの位置合わせを容易に行うことが可能で、レンズ鏡胴とレンズ駆動装置のみで取り付け状態の確認とイニシャライズ動作を行うことが可能な光学装置を提供する。【解決手段】レンズ駆動装置１０２は、外周に操作ギアを有するレンズに着脱可能に構成される。レンズ駆動装置１０２は、操作ギアと係合する検出ギア７ａと、検出ギア７ａを駆動するモータ８と、電源１６と、スイッチ１４と、レンズ鏡筒が装着されたことを検出する検出部１８をと有する。検出部１８は、スイッチ１４の状態によりレンズ装着の有無を確認し、レンズが装着されていないと判断した場合は、検出ギア７ａを所定の位置に駆動し、レンズが装着されていると判断した場合は、操作ギアを所定の位置に駆動させて、検出ギア７ａとの位置ずれを検出し、位置ずれが検出された場合は、検出部１８に記憶されている位置の情報を現在の操作ギア位置に合わせて補正する。【選択図】図２
2018025576.tif 000002
【特許請求の範囲】
【請求項１】
カメラと
前記カメラと着脱可能なレンズと
前記カメラと前記レンズに接続可能なレンズ駆動装置と
前記レンズは外周に操作ギアを有し、
前記レンズ駆動装置は前記操作ギアと係合する検出ギアと前記検出ギアを駆動させるモータを有する光学装置において、
前記駆動装置は電源とスイッチと、
前記レンズと前記駆動装置の取り付けを検出する検出部を有し、
前記スイッチを押すと、前記検出部が前記取り付けの有無を確認し、
取り付けがされていないと判断した場合は、前記検出ギアを所定の位置に駆動し、
取り付けがされていると判断した場合は、前記操作ギアを所定の位置に駆動させて、前記操作ギアと前記検出ギアの位置ずれを確認し、
前記位置ずれを検出した場合は、前記検出ギアに記憶された位置を前記操作ギアの位置に合わせて記憶することを特徴とする光学装置。
【請求項２】
前記駆動装置は電源とスイッチと、
前記レンズと前記駆動装置の取り付けを検出する検出部を有し、
前記スイッチを押すと、前記検出部が前記取り付けの有無を確認し、
取り付けがされていないと判断した場合は、前記検出ギアを所定の位置に駆動し、
ある一定時間前記所定の位置を保持し続けることを特徴とする請求項１に記載の光学装置。
【請求項３】
前記駆動装置が前記カメラと接続されると、前記電源が充電されることを特徴とする請求項１または２に記載の光学装置。
【発明の詳細な説明】
【技術分野】
【０００１】
本発明はレンズ駆動装置に係り、特にレンズ鏡胴の側部に着脱可能に取り付けられるレンズ駆動装置を有する光学装置に関するものである。
【背景技術】
【０００２】
従来、テレビレンズにおいて撮影者は、フォーカス、ズーム及びアイリス操作を行うために、レンズ鏡胴側部に設けられたレンズ駆動装置を使用する。このレンズ駆動装置は、レンズ鏡胴の各光学部（フォーカス、ズーム、アイリス）位置を検出する検出部と各光学部を駆動させる駆動部からなる。そして、検出部と駆動部が接続された各検出ギアにレンズ鏡胴に設けられた各レンズ操作ギアが係合することで、レンズ駆動装置はレンズ鏡胴の各光学部の駆動を制御することが可能となる。
【０００３】
ここで、レンズ鏡胴とレンズ駆動装置を接続する際には、光学部の位置と検出部の検出位置を同期させる必要があるため、各レンズ操作ギアに対する各検出ギアの位置合わせを行わなければならない。
【０００４】
例えば、特許文献１では、レンズ操作ギアと駆動ギアの噛み合い状態を容易に確認することが出来るレンズ駆動装置が開示されている。一方で映画の撮影では、撮影者が直接レンズ鏡胴に設けられたレンズ操作ギアによって光学部を駆動させるため、テレビレンズを用いて映画の撮影を行う際には、レンズ駆動装置を外す。
【先行技術文献】
【特許文献】
【０００５】
【特許文献１】特開２０１１−１０７３３２号公報
【発明の概要】
【発明が解決しようとする課題】
【０００６】
しかしながら、従来技術では、レンズ操作ギアと駆動ギアの位置合わせには工具を使用するため、ユーザーが一度外してしまったレンズ駆動装置を再度レンズ鏡胴に取り付ける際は、そのレンズメーカーに取り付けを依頼する必要があった。また、レンズ駆動装置の取り付け状態の確認やイニシャライズ動作を行う際には、レンズ駆動装置を電源等に接続しなければならなかった。
【０００７】
そこで、本発明の目的は、ユーザーが容易にレンズギアと駆動ギアの位置合わせを行うことが可能で、且つレンズ鏡胴とレンズ駆動装置のみで取り付け状態の確認とイニシャライズ動作を行うことが可能な光学装置を提供することである。
【課題を解決するための手段】
【０００８】
上記目的を達成するために、本発明は、レンズと前記レンズに着脱可能なレンズ駆動装置と前記レンズは外周に操作ギアを有し、前記レンズ駆動装置は前記操作ギアと係合する検出ギアと前記検出ギアを駆動させるモータを有する光学装置において、前記駆動装置は電源とスイッチと、前記レンズと前記駆動装置の取り付けを検出する検出部を有し、前記スイッチを押すことで、前記検出部が前記取り付けの有無を確認し、取り付けがされていないと判断した場合は、前記検出ギアを所定の位置に駆動し、取り付けがされていると判断した場合は、前記操作ギアを所定の位置に駆動させて、前記検出ギアとの位置ずれを検出し、前記位置ずれが検出された場合は、前記検出ギアに記憶されていた位置を前記操作ギアの位置に合わせて記憶することを特徴とする。
【発明の効果】
【０００９】
本発明によれば、ユーザーがレンズ鏡胴とレンズ駆動装置を容易に取り付けることが可能となる。
【図面の簡単な説明】
【００１０】
【図１】実施例１のレンズ鏡胴である。
【図２】実施例１のレンズ駆動装置である。
【図３】実施例１のレンズ駆動装置をレンズ鏡胴に取り付ける前のフローチャートである。
【図４】実施例１のレンズ駆動装置をレンズ鏡胴に取り付けた図である。
【図５】実施例１のレンズ駆動装置をレンズ鏡胴に取り付けた後の取り付け確認及びイニシャライズのフローチャートである。
【図６】実施例２のレンズ駆動装置をレンズ鏡胴に取り付ける前のフローチャートである。
【発明を実施するための形態】
【００１１】
以下に、本発明の好ましい実施の形態を、添付の図面に基づいて詳細に説明する。
【００１２】
［実施例１］
以下、図１から図５を参照して、本発明の第１の実施例による、レンズ操作装置について説明する。
【００１３】
図１に基づいて、レンズ鏡胴１０１を詳細に説明する。レンズ鏡胴１０１は、フォーカス操作を行うためのフォーカス操作ギア１とズーム操作を行うためのズーム操作ギア２とアイリス操作を行うためのアイリス操作ギア３を有する。また、後述するレンズ駆動装置１０２を取り付けるためのネジ穴４aと４b、図示されないカメラ装置と接続するためのレンズマウント５、そして凸部６が設けられている。
【００１４】
図２に基づいて、レンズ駆動装置１０２を詳細に説明する。レンズ駆動装置１０２には、フォーカス操作ギア１の位置検出を行うギア７aを有するフォーカス検出部７と、ギア７aを介してフォーカス操作ギア１の駆動を行うギア８aを有するフォーカス駆動モータ８が板金９aに固定される。同様に、ズーム操作ギア２の位置検出を行うギア１０aを有するズーム検出部１０と、ギア１０aを介してズーム操作ギア２の駆動を行うギア１１aを有するズーム駆動モータ１１が板金９bに固定される。
【００１５】
更に、アイリス操作ギア３の位置検出を行うギア１２aを有するアイリス検出部１２と、ギア１２aを介してアイリス操作ギア３の駆動を行うギア１３aを有するアイリス駆動モータ１３が板金９cに固定される。また、弾性部材１４aを有する検出スイッチ１４は、押された圧力を検出する。つまり、レンズ駆動装置１０２をレンズ鏡胴１０１に取り付けると、同時に凸部６が検出スイッチ１４を押すため、レンズ駆動装置１０２はレンズ鏡胴１０１に取り付けられたと判断する。更に、スイッチ１５と電源１６を介して図示されないカメラ装置と接続するためのケーブル１７が設けられる。
【００１６】
ここで、ケーブル１７がカメラ装置と接続されると、電源１６は自動で充電される。制御部１８には各検出部やモータ、スイッチや電源及びケーブルが全て接続される。図示されないフォーカスデマンド等からの操作信号を制御部１８が受け取ると、信号に応じた駆動を制御することが可能となる。
【００１７】
図３〜図５に基づいて、レンズ駆動装置１０２をレンズ鏡胴１０１に取り付けるフローを説明する。
【００１８】
まず、図３のフローチャートを参照して、レンズ駆動装置１０２の取り付け前の動作を説明する。スイッチ１５を押すと、ＳＴＥＰ１０１へ進み、検出スイッチ１４によりレンズ駆動装置１０２がレンズ鏡胴１０１に取り付けられているか否かの判断を行う。取り付けられていると判断した場合は、後述する取り付け状態の確認フローＡへと進む。取り付けられていないと判断した場合はＳＴＥＰ１０２へ進む。ＳＴＥＰ１０２では、フォーカス駆動モータ８により、フォーカス検出部７が記憶する無限端Ｆになる位置まで駆動を行う。
【００１９】
同様に、各駆動モータにより、ズーム検出部１０が記憶するＷＩＤＥ端Ｚになる位置まで、アイリス検出部１２が記憶する開放端Ｉとなる位置まで駆動させて終了する。
【００２０】
次に、レンズ鏡胴１０１の取り付け前の動作を説明する。フォーカス操作ギア１を無限端に、ズームギア操作ギア２をＷＩＤＥ端に、アイリス操作ギア３を開放端に操作する。そして、レンズ鏡胴１０１とレンズ駆動装置１０２の双方の各ギアの位置を維持した状態で、図４に示すようにネジ１９aと１９bにより、レンズ駆動装置１０２をレンズ鏡胴１０１に取り付ける。すると、各操作ギアと各検出部の位置合わせが正しく行われた状態で、レンズ駆動装置１０２はレンズ鏡胴１０１に取り付けられる。
【００２１】
しかしながら、レンズ鏡胴１０１の各操作ギアを逆側の端に駆動させて、レンズ駆動装置１０２を取り付けてしまった等の誤組が想定される。
【００２２】
そこで、図３及び図５に基づいて、レンズ駆動装置１０２がレンズ鏡胴１０１に正しく取り付けられているか否かの確認及びイニシャライズを行うフローについて説明する。
【００２３】
図３のＳＴＥＰ１０１にて、レンズ駆動装置１０２がレンズ鏡胴１０１に取り付けられていると判断した場合、図５に示す取り付け確認フローＡに進む。ＳＴＥＰ２０１ではレンズ駆動装置１０２の各駆動モータにより、レンズ鏡胴１０１のフォーカス操作ギア１が無限端に、ズーム操作ギア２がＷＩＤＥ端に、アイリス操作ギア３が開放端になるまで駆動を行う。ＳＴＥＰ２０２では、各検出部が位置データΔＦ、ΔＺ、ΔＩを取得する。ＳＴＥＰ２０３では、フォーカス検出部7が記憶するフォーカス無限端ＦとΔＦを比較する。Ｆ＝ΔＦならば、ＳＴＥＰ２０５へ進む。Ｆ≠ΔＦならば、ＳＴＥＰ２０４へ進む。
【００２４】
ＳＴＥＰ２０４では、ＦをΔＦに書き換えてＳＴＥＰ２０５へ進む。ＳＴＥＰ２０５では、ズーム検出部１０が記憶するズームＷＩＤE端ＺとΔＺを比較する。Ｚ＝ΔＺならば、ＳＴＥＰ２０７へ進む。Ｚ≠ΔＺならば、ＳＴＥＰ２０６へ進む。ＳＴＥＰ２０６では、ＺをΔＺに書き換えてＳＴＥＰ２０７へ進む。ＳＴＥＰ２０７では、アイリス検出部１２が記憶するアイリス開放端ＩとΔＩを比較する。Ｉ＝ΔＩならば、終了となる。Ｉ≠ΔＩならば、ＳＴＥＰ２０８へ進む。ＳＴＥＰ２０８では、ＩをΔＩに書き換えて終了となる。
【００２５】
以上の構造及びフローによって、工具を使用することなく、容易にレンズ駆動装置１０２をレンズ鏡胴１０１へ取り付けることが可能となる。また、レンズ駆動装置１０２は内部電源を有するため、レンズ鏡胴１０１とレンズ駆動装置１０２のみで取り付け状態の確認とイニシャライズ動作を行うことが可能である。
【００２６】
ところで、レンズ駆動装置１０２に設けられた電源１６はカメラとの接続により充電されるとしたが、充電が出来ない交換可能な電池でも構わない。
【００２７】
［実施例２］
以下、図６を参照して、本発明の第２の実施例による、レンズ駆動装置について説明する。
【００２８】
レンズ鏡胴１０１とレンズ駆動装置１０２の構成は実施例１と同じであるため説明を省略する。レンズ駆動装置１０２をレンズ鏡胴１０１に取り付けるフローを説明する。
【００２９】
まず、レンズ鏡胴１０１の取り付け前の動作は実施例１と同様に、フォーカス操作ギア１を無限端に、ズームギア操作ギア２をワイド端に、アイリス操作ギア３を開放端に操作する。
【００３０】
次に図６のフローチャートに基づいて、レンズ駆動装置１０２の取り付け前の動作を説明する。スイッチ１５を押すと、ＳＴＥＰ３０１へ進み、検出スイッチ１４によりレンズ駆動装置１０２がレンズ鏡胴１０１に取り付けられているか否かの判断を行う。取り付けられていると判断した場合は、前述した取り付け状態の確認フローＡへと進む。取り付けられていないと判断した場合はＳＴＥＰ３０２へ進む。ＳＴＥＰ３０２では、フォーカス駆動モータ８により、フォーカス検出部７が記憶する無限端Ｆになる位置まで駆動を行う。
【００３１】
同様に、各駆動モータにより、ズーム検出部１０が記憶するＷＩＤＥ端Ｚになる位置まで、アイリス検出部１２が記憶する開放端Ｉとなる位置まで駆動させる。ＳＴＥＰ３０３では、駆動モータ８により各検出ギア位置が動かないように保持を１００秒間続けて終了する。この各検出ギアが保持されている１００秒間に、レンズ鏡胴１０１の各ギアの位置を維持して、図４に示すようにネジ１９aと１９bにより、レンズ駆動装置１０２をレンズ鏡胴１０１に取り付ける。すると、各操作ギアと各検出部の位置合わせが行われた状態でレンズ駆動装置１０２はレンズ鏡胴１０１に取り付けられる。
【００３２】
レンズ駆動装置１０２がレンズ鏡胴１０１に正しく取り付けられているか否かの確認及びイニシャライズを行うフローについては、実施例１と同様であるため説明を省略する。
【００３３】
以上の構造及びフローによって、工具を使用することなく、容易にレンズ駆動装置１０２をレンズ鏡胴１０１へ取り付けることが可能となる。
【００３４】
ここで、レンズ駆動装置１０２をレンズ鏡胴１０１に取り付ける際に、各検出ギアが保持されているため、ずれることなくレンズ鏡胴に取り付けられる。
【００３５】
ところで、取り付け時の各検出ギア位置の保持時間は１００秒としたが、秒数は限定されるものではない。更には、検出スイッチ１４により、レンズ駆動装置１０２がレンズ鏡胴１０１に取り付けられたと判断するまで、各検出ギア１０１を保持し続けても構わない。
【００３６】
以上、本発明の好ましい実施形態について説明したが、本発明はこれらの実施形態に限定されず、その要旨の範囲内で種々の変形及び変更が可能である。
【符号の説明】
【００３７】
１０１    レンズ鏡胴
１０２    レンズ駆動装置
１        フォーカス操作ギア
２        ズーム操作ギア
３        アイリス操作ギア
６        凸部
７        フォーカス検出部
８        フォーカス駆動モータ
１０      ズーム検出部
１１      ズーム駆動モータ
１２      アイリス検出部
１３      アイリス駆動モータ
１４      検出スイッチ
１５      スイッチ
１６      電源
１８      制御部
【図１】
2018025576.tif 000003
【図２】
2018025576.tif 000004
【図３】
2018025576.tif 000005
【図４】
2018025576.tif 000006
【図５】
2018025576.tif 000007
【図６】
2018025576.tif 000008